(57)【要約】【課題】  ユーザーに違和感を抱かせずに、かつ、ユーザーに必要な情報を視覚的に提供し得るようにした給湯装置を提供する。【解決手段】  表示部１１１に対し、貯湯量表示１５１として、通常表示モードでは、貯湯タンク形状を模した矩形枠と、その内部に貯湯量を上下方向に複数段に積み上げた矩形の着色表示とで表示する。一方、自動制御により加熱殺菌運転が開始されると、例外表示モードに切換え、貯湯量表示１５１として、貯湯タンク形状を模した矩形枠のみ表示し、その内部に本来表示すべき矩形の着色表示の表示制御をキャンセルして無表示とする。【選択図】      図４
2015059713.tif 000002
【特許請求の範囲】
【請求項１】
燃焼式熱源装置と、非燃焼式熱源装置と、この非燃焼式熱源装置による加熱運転によって貯湯するための貯湯タンクと、少なくとも前記燃焼式熱源装置による加熱運転によって湯水流路の加熱殺菌運転を実行するための運転制御手段とを備えた給湯装置であって、
前記貯湯タンク内に存する所定温度以上の貯湯量の如何を示す貯湯量表示を表示するための貯湯量表示部と、この貯湯量表示部に対し貯湯に係る温度検出により貯湯量の如何を表示制御するための表示制御手段とを備え、
前記加熱殺菌運転の実行中であれば、前記運転制御手段は、前記貯湯タンクからの直接の給湯を禁止する一方、前記燃焼式熱源装置の加熱運転に基づく給湯を許容し、かつ、前記表示制御手段は、前記貯湯量表示部に対する前記貯湯量表示の表示をキャンセルするように構成されている、
ことを特徴とする給湯装置。
【請求項２】
請求項１に記載の給湯装置であって、
前記表示制御手段は、前記加熱殺菌運転の実行中であれば、前記貯湯量表示部に対し、加熱殺菌運転が実行中であることの案内表示を表示するように構成されている、給湯装置。
【請求項３】
請求項１又は請求項２に記載の給湯装置であって、
前記表示制御手段は、前記加熱殺菌運転の実行中であれば、ユーザーによる貯湯要求指令が入力されても、その貯湯要求は対応不可であることの案内を報知するように構成されている、給湯装置。
【発明の詳細な説明】
【技術分野】
【０００１】
本発明は、貯湯タンクを備えた給湯装置に関し、特に燃焼式熱源装置及び非燃焼式熱源装置の２種類の熱源を備え、貯湯タンク内の貯湯量表示を貯湯量表示部に表示するように構成された給湯装置に係る。
【背景技術】
【０００２】
燃料電池あるいはヒートポンプ等の非燃焼式熱源装置の排熱を利用して貯湯タンク内の湯水を熱交換加熱することにより貯湯タンクに蓄熱し、この貯湯を給湯のために出湯させたり、暖房用媒体等の熱交換加熱の熱源として利用したりする貯湯式の給湯装置が知られている。かかる貯湯式の給湯装置において、次に示す特許文献１又は特許文献２には、貯湯タンク内の貯湯量がどの程度あるかについてリモコンの表示部に対し表示することが開示されている。又、特許文献３には、非使用状態の継続に起因する菌繁殖の可能性が予想されるときに、自動制御により加熱運転を実行することで貯湯タンク内や経路内を滅菌するようにすることが開示されている。かかる加熱運転が実行される際には、貯湯タンク内の貯湯を給湯のために直接使用することを禁止し、かつ、給湯要求があれば燃焼式熱源装置（給湯器）を燃焼作動させて給湯するようにしている。
【先行技術文献】
【特許文献】
【０００３】
【特許文献１】実公平７−２５５５５号公報
【特許文献２】特許第４８９３００６号公報
【特許文献３】特許第４０３３４６１号公報
【発明の概要】
【発明が解決しようとする課題】
【０００４】
ところで、非燃焼式熱源装置の他に、ガス瞬間燃焼式の給湯器等の燃焼式熱源装置を補助的に備えた貯湯式給湯装置の場合には、通常、加熱運転により得られる温度が非燃焼式熱源装置よりも燃焼式熱源装置の方が高いため、滅菌又は殺菌のための加熱運転として、燃焼式熱源装置を燃焼作動させて貯湯タンク内の湯水を循環加熱して所定温度まで昇温させることが行われている。しかしながら、燃焼式熱源装置が燃焼作動し始めると、その燃焼作動音に起因する騒音が発生し、ユーザーは燃焼作動し始めたことを感知してしまうことになる。この場合、例えばリモコンの表示部に対し貯湯タンク内の貯湯量表示として、ある程度の量の貯湯量が存在する旨の表示がなされている状態で、滅菌又は殺菌のための加熱運転が自動制御に基づき開始されると、貯湯量が所定量以上あれば、本来ならば燃焼式熱源装置の燃焼作動は生じない筈なのに、燃焼式熱源装置が燃焼作動するため、ユーザーは違和感を抱いてしまい、故障したのではないか等の誤解を生じさせる要因にもなり得る。
【０００５】
本発明は、このような事情に鑑みてなされたものであり、その目的とするところは、ユーザーに前記の如き違和感を抱かせずに、かつ、ユーザーに必要な情報を視覚的に提供し得るようにした給湯装置を提供することにある。
【課題を解決するための手段】
【０００６】
前記目的を達成するために、本発明では、燃焼式熱源装置と、非燃焼式熱源装置と、この非燃焼式熱源装置による加熱運転によって貯湯するための貯湯タンクと、少なくとも前記燃焼式熱源装置による加熱運転によって湯水流路の加熱殺菌運転を実行するための運転制御手段とを備えた給湯装置を対象にして、次の特定事項を備えることとした。すなわち、前記貯湯タンク内に存する所定温度以上の貯湯量の如何を示す貯湯量表示を表示するための貯湯量表示部と、この貯湯量表示部に対し貯湯に係る温度検出により貯湯量の如何を表示制御するための表示制御手段とを備えることとする。そして、前記加熱殺菌運転の実行中であれば、前記運転制御手段は、前記貯湯タンクからの直接の給湯を禁止する一方、前記燃焼式熱源装置の加熱運転に基づく給湯を許容し、かつ、前記表示制御手段は、前記貯湯量表示部に対する前記貯湯量表示の表示をキャンセルする構成とする（請求項１）。
【０００７】
本発明の場合、自動制御により加熱殺菌運転制御が開始されたとき、その開始に伴い貯湯量表示部に表示される貯湯量表示の表示が表示制御手段によってキャンセルされるため、これを見たユーザーに貯湯タンク内の貯湯は給湯には使用できないことを視覚的に認識させることが可能となる。このため、ユーザーが給湯栓を開いて給湯使用しようとしたら、燃焼式熱源装置の燃焼作動が開始されることが燃焼作動音等によって感知されたとしても、貯湯タンク内の貯湯が使用できないからだと理解することが可能となり、違和感を抱くことはなく故障等が発生したとの誤解を生じさせることもなくなる。以上により、ユーザーに違和感を抱かせずに、かつ、ユーザーに必要な情報を視覚的に提供し得るようになる。
【０００８】
本発明の給湯装置の表示制御手段として、加熱殺菌運転の実行中であれば、貯湯量表示部に対し、加熱殺菌運転が実行中であることの案内表示を表示する構成とすることができる（請求項２）。このようにすることにより、貯湯タンク内の貯湯が給湯には使用することができないことに加えて、その理由として加熱殺菌運転が現在実行中だからということの案内もなされるため、ユーザーに対する理解をより深め必要な情報を適切に提供し得るようになる。
【０００９】
又、本発明の給湯装置において、表示制御手段として、加熱殺菌運転の実行中であれば、ユーザーによる貯湯要求指令が入力されても、その貯湯要求は対応不可であることの案内を報知する構成とすることができる（請求項３）。このように対応不可の表示を積極的に表示することにより、このような案内が無い場合と比べユーザーに困惑させることなく、ユーザーに対しより的確に状況把握のための案内をすることが可能となる。
【発明の効果】
【００１０】
以上、説明したように、本発明に係る給湯装置によれば、自動制御により加熱殺菌運転制御が開始されたとき、その開始に伴い貯湯量表示部に表示される貯湯量表示の表示が表示制御手段によってキャンセルされるようにしているため、これを見たユーザーに、貯湯タンク内の貯湯は給湯には使用できないことを視覚的に認識させることができるようになる。このため、ユーザーが給湯栓を開いて給湯使用しようとしたら、燃焼式熱源装置の燃焼作動が開始されることが燃焼作動音等によって感知されたとしても、貯湯タンク内の貯湯が使用できないからだと容易に理解することができ、違和感を抱くことはなく故障等が発生したとの誤解を生じさせることもなくなる。以上により、ユーザーに違和感を抱かせずに、かつ、ユーザーに必要な情報を視覚的に提供することができるようになる。
【００１１】
特に請求項２の給湯装置によれば、表示制御手段として、加熱殺菌運転の実行中であれば、貯湯量表示部に対し、加熱殺菌運転が実行中であることの案内表示を表示する構成とすることにより、貯湯タンク内の貯湯が給湯には使用することができないことに加えて、その理由として加熱殺菌運転が現在実行中だからということの案内もなされるため、ユーザーに対する理解をより深め必要な情報を適切に提供することができるようになる。
【００１２】
特に請求項３の給湯装置によれば、表示制御手段として、加熱殺菌運転の実行中であれば、ユーザーによる貯湯要求指令が入力されても、その貯湯要求は対応不可であることの案内を報知する構成とすることにより、このような案内が無い場合と比べユーザーに困惑させることなく、ユーザーに対しより的確に状況把握のための案内をすることができるようになる。
【図面の簡単な説明】
【００１３】
【図１】本発明の実施形態に係る給湯装置の模式図である。
【図２】主として表示制御に係る部分についてのブロック図である。
【図３】リモコンの例を示す正面図である。
【図４】図４（ａ）は満蓄状態の貯湯量表示が表示されている表示部の例を示す正面図、図４（ｂ）は加熱殺菌運転の実行中における表示部の例を示す図４（ａ）対応図である。
【図５】図５（ａ）は図４（ｂ）に含まれる加熱殺菌運転の実行中における貯湯量表示の例を示す正面図であり、図５（ｂ）は図５（ａ）とは異なる貯湯量表示の例を示す図５（ａ）対応図である。
【図６】加熱殺菌運転の第１段階における湯水の流れを太線で表した図１対応図である。
【図７】加熱殺菌運転の第２段階における湯水の流れを太線で表した図１対応図である。
【図８】加熱殺菌運転の実行中にも拘わらずユーザーが手動にて貯湯要求を入力した場合に、ユーザーに対し、その貯湯要求は受付不能であることを案内表示により報知する表示部の例を示す正面図である。
【図９】図９（ａ）はガスのみを使用して応急運転を実行していることを案内表示している表示部の例を示す図４（ａ）対応図、図９（ｂ）は電気のみを使用して応急運転を実行していることを案内表示している表示部の例を示す図４（ａ）対応図である。
【発明を実施するための形態】
【００１４】
以下、本発明の実施形態を図面に基づいて説明する。
【００１５】
図１は本発明の実施形態に係る給湯装置を示す。同図中の符号２は非燃焼式熱源装置、３は貯湯タンク、４は外部から水道水等を貯湯タンク３等に給水するための給水回路、５は貯湯タンク３の上部から取り出される湯水又は燃焼式熱源装置６で補助加熱後の湯水を用いて給湯栓７等への給湯のために出湯する出湯回路、８は燃焼式熱源装置６で補助加熱後の湯水又は貯湯タンク３の上部から取り出される湯水を熱源として利用して外部熱負荷に対し循環供給する熱利用循環回路、９は前記非燃焼式熱源装置２からの排熱を回収することで貯湯タンク３の湯水を加熱する加熱循環回路、１０は熱利用循環回路８により戻された湯水を貯湯タンク３に入れることなく燃焼式熱源装置６に供給し燃焼式熱源装置６と前記外部熱負荷との間に循環させるためのバイパス循環回路、１１はこの給湯装置の作動制御を行うコントローラである。ここで、加熱循環回路９は、貯湯タンク３の下部取出口３１から取り出された湯水を導出路９１を通して非燃焼式熱源装置２に導き、非燃焼式熱源装置２で加熱された湯水を導入路９２を通して貯湯タンク３の上部に戻して貯湯として蓄熱するようになっている。又、貯湯タンク３の他の下部取出口３２から下部配管部１２が外部に延びて合流点１３においてバイパス循環回路１０に連通され、この下部配管部１２によって熱利用循環回路８の下流端部位が構成され、熱利用循環回路８の戻り路８６から戻される熱交換後の湯水が貯湯タンク３の下部取出口３２に戻されるようになっている。又、この下部配管部１２の途中には、前記給水回路４を構成する主給水路４１の下流端が合流点１４で合流するように連通接続されている。この主給水路４１からは、貯湯タンク３内の湯水が消費されれば、その消費された分だけ給水圧に基づいて貯湯タンク３に給水されるようになっている。
【００１６】
非燃焼式熱源装置２は、ヒートポンプ作動系により構成され、加熱循環回路９を用いて貯湯タンク３内の湯水を凝縮用熱交換器での熱交換加熱により所定温度まで加熱昇温させて貯湯タンク３に蓄熱するようになっている。すなわち、加熱循環回路９は、上流端が貯湯タンク３の下部取出口３１に接続されて下流端が非燃焼式熱源装置２の被加熱側入口（例えば凝縮用熱交換器の入口）に接続された導出路９１と、上流端が非燃焼式熱源装置２の被加熱側出口（例えば凝縮用熱交換器の出口）に接続されて下流端が貯湯タンク３の上部に接続された導入路９２と、循環ポンプ９３とを備えたものである。そして、コントローラ１１の後述の沸き上げ運転制御部１６１又は加熱殺菌運転制御部１６２による加熱運転が開始されると、循環ポンプ９３が作動され、これにより、貯湯タンク３の下部から導出路９１を通して取り出された湯水が、非燃焼式熱源装置２において熱交換加熱され、熱交換加熱後の湯水が導入路９２を通して貯湯タンク３の上部に戻されて、貯湯タンク３内で温度成層を形成しつつ蓄熱されることになる。この際、入側温度センサ９６による貯湯タンク３の底部からの湯水温度と、出側温度センサ９７による熱交換加熱後の湯水温度との差温の情報や、ヒートポンプ作動系の冷媒温度の情報、あるいは、循環ポンプ９３の循環流量の調整等に基づき、貯湯タンク３の頂部に戻される熱交換加熱後の湯水温度が所定の沸き上げ温度（例えば６０℃）になるよう運転制御されることになる。なお、前記導入路９２の途中位置には三方切換弁９４が介装される一方、この三方切換弁９４に対し導出路９１の途中位置から非燃焼式熱源装置２をバイパスするように分岐したバイパス路９５が接続されている。
【００１７】
貯湯タンク３は密閉式に構成され、貯湯タンク３の上下方向の所定の各位置には、上下方向各位置での内部の貯湯温度を検出するための貯湯温度センサ３３，３４，３５，３６（図１には４つの貯湯温度センサを例示）が設置されている。なお、この貯湯温度センサ３３〜３６による貯湯温度の検出は貯湯温度を直接に検出しても、貯湯タンク３の外壁温度の検出により間接的に検出しても、いずれでもよい。図１の例示の場合、第１タンク温度センサ３３が最上部位置、第２タンク温度センサ３４がその下方位置である上部位置、第３タンク温度センサ３５が中部位置、第４タンク温度センサ３６が最下部位置での各位置における貯湯温度（湯水温度）を検出するようになっている。そして、これら各貯湯温度センサ３３〜３６の検出貯湯温度に基づいて、貯湯タンク３内に貯湯として蓄熱された残熱量（貯湯量）を把握することができる。すなわち、相隣接する貯湯温度センサ３３〜３６間の略円柱状の領域毎に容量値が予め設定されており、この各設定容量値に対し、対応する位置の貯湯温度センサ３３〜３６の検出貯湯温度を乗じることにより、領域毎の熱量を演算することができる。この場合、貯湯タンク３内は前記の如く頂部側の各領域に後述の給湯等の熱量使用に供される高温湯が貯湯され、底部側の各領域には熱量使用には適さない低温湯が貯湯されるという温度成層が形成されるため、熱量使用に供することが可能な所定温度以上の貯湯温度が検出された領域の熱量の合計をもって、後述の貯湯量表示における残熱量とすることができる。このような残熱量の演算が後述の貯湯量表示制御部１７１（図２参照）において行われる。なお、前記の容量値の設定に代えて、略円柱状の領域毎の平均断面積と上下方向の間隔（高さ）を予め設定することもできる。
【００１８】
出湯回路５は、主給湯路５１の上流端５２に出湯される補助加熱出湯路６０経由の湯水か、貯湯タンク３の上部から直接に取り出される上部接続路５３経由の湯水かの２種類の湯水のいずれかを給湯栓７に対し給湯するようになっている。すなわち、補助加熱出湯路６０は、上流端が貯湯タンク３の上部に接続され、下流端が間に流量調整機能付きの三方切換弁６１，ポンプ６２，流量センサ６３，入口側温度センサ６４，燃焼式熱源装置６，出口温度センサ６５及び全閉機能付きの流量調整用のタンク水比例弁６６を介して前記上流端５２に接続されたものであって、燃焼式熱源装置６の燃焼作動により熱交換加熱された湯水を上流端５２に対し出湯可能となっている。燃焼式熱源装置６は、例えば瞬間加熱式の燃焼式給湯器により構成され、気体燃料（例えば都市ガス）を燃焼させることで、熱交換器内に通される湯水を瞬間加熱するようになっている。なお、燃料としてガスの他に液体燃料（例えば灯油）を燃焼させる燃焼式給湯器を用いて構成することもできる。三方切換弁６１にはバイパス循環回路１０の下流側が接続されており、三方切換弁６１はコントローラ１１により作動制御されることにより、燃焼式熱源装置６に供給される湯水として、前記の補助加熱出湯路６０を通した湯水か、あるいは、バイパス循環回路１０を通した湯水、下部配管部１２を通して貯湯タンク３の底部からの湯水、主給水路４１及び下部配管部１２からの給水かの切換え、及び、その通過流量の調整機能を果たすようになっている。なお、出湯回路５の下流側には図示を省略するが、給水回路４からの分岐路が接続されて混水による温度調整が可能とされている他、浴槽８５に注湯するための分岐路も接続されている。
【００１９】
又、前記燃焼式熱源装置６とタンク水比例弁６６との間の補助加熱出湯路６０からは熱利用循環回路８の熱源供給路８１が分岐し、前記のポンプ６２の作動により熱源供給路８１を通して外部熱負荷加熱用の液−液熱交換器８２，８３に対し湯水を熱源として供給し得るようになっている。外部熱負荷（熱利用対象）としては図例の如く温水暖房装置８４の熱源となる暖房用媒体や、風呂８５の追い焚き用の浴槽水が挙げられ、これら暖房用媒体や浴槽水を液−液熱交換器８２，８３で液−液熱交換加熱した後、熱交換加熱により温度低下した湯水が戻り路８６を通して下部配管部１２に合流し、貯湯タンク３の下部に戻されることになる。なお、戻り路８６の下流側はバイパス循環回路１０の上流端にも合流可能に接続されており、戻り路８６から戻された湯水を再加熱のために補助熱源装置６に対し直接に供給して循環可能となっている。
【００２０】
以上の給湯装置は、リモコン１１０からの入力設定信号や操作信号の出力や、種々の温度センサ等からの検出信号の出力を受けて、コントローラ（制御手段）１１により種々の作動制御が行われるようになっている。コントローラ１１は、そのような作動制御のために、運転制御手段１６（図２参照）と、表示制御手段１７とを備え、運転制御手段１６は、沸き上げ運転制御部１６１、加熱殺菌運転制御部１６２、給湯運転制御部１６３、外部負荷運転制御部１６４、応急運転制御部１６５等を備えている。又、表示制御手段１７は、リモコン１１０の表示部１１１に対する種々の表示制御を行うものであり、貯湯量表示制御部１７１、対応不可時表示制御部１７２、応急運転時表示制御部１７３等を備えている。コントローラ１１は、ＣＰＵや書き換え可能メモリを備えるマイコンによって主構成されており、メモリに記憶されたプログラム及び各種データに基づいて前記の沸き上げ運転制御や給湯制御などの他に、リモコン１１０への表示制御を行うようになっている。さらに、リモコン１１０は、例えばＬＣＤ等により構成された表示部１１１（図３参照）、運転スイッチ１１２、メニューボタンを兼ねる選択・決定スイッチ１１３、スピーカフォン１１４等を備えて構成されている。ここで、図１においてリモコン１１０は１つのみ示しているが、リモコン１１０としては台所リモコン，浴室リモコン，暖房リモコンなど２種以上のリモコンを設けることができ、これらを代表して図示したものである。従って、表示制御手段１７による表示制御を、ある特定箇所（例えばユーザーによる入力操作があったリモコン）のリモコンを対象にしたり、あるいは、全ての箇所のリモコンを対象にしたりして実行することができる。
【００２１】
以下、主として本実施形態の特徴的な制御部分である表示制御手段１７による表示制御について説明する。まず、貯湯量表示制御部１７１は、通常表示モードと、例外表示モードとを備えている。通常表示モードは、貯湯温度センサ３３〜３６による検出温度に基づき貯湯タンク３内の貯湯量（残熱量）の演算を行って所定の貯湯量表示を表示する。ここで、貯湯量表示とは、その時点で使用可能な貯湯タンク３の貯湯量（所定温度以上の貯湯量；残熱量）を表示することであり、具体的な熱量演算値や割合を数字で表示したり、図表等のグラフにより表示したりすることができる。本実施形態では、例えば、図４（ａ）に示すように、表示部１１０の左側領域に図案化した貯湯量表示１５１を表示することができる。具体的には、貯湯量表示１５１として、貯湯タンク３を示す縦長の矩形枠の図形と，内部の残熱量を貯湯温度センサ３３〜３６により区画される段数（例えば３段）の矩形の塗り図形とにより一目で把握できるようにすることができる。なお、矩形の塗り図形の段数は、貯湯量表示のサイズや、前記の貯湯温度センサ３３〜３６の数等に応じて定めればよく、例えば４段や５段と細分化することもできる。なお、図４（ａ）に示す表示部１１１には、中央領域に対し「給湯」という文字と共に給湯用に設定されている設定温度の値（図例では４２℃）を一目で視認できる程度の大きなサイズの数字で表示する給湯設定温度表示１５２と、右側領域に非燃焼式熱源装置２で消費される電気量（文字「Ｅ」も併せて表示）及び燃焼式熱源装置６で消費されるガス量（文字「Ｇ」も併せて表示）の使用量対比を横長の帯で示すバー表示１５３とが表示されている。この図例では、電気の使用量に相当する領域が着色されている。
【００２２】
これに対し、例外表示モードは、加熱殺菌運転制御部１６２（図２参照）による加熱殺菌運転の実行に伴い、通常表示モードから切換えられるようになっている。そして、例外表示モードでは、貯湯温度センサ３３〜３６による検出温度の如何に拘わらず、つまり、貯湯量（残熱量）の如何に拘わらず、貯湯量表示１５１の表示をキャンセルする。ここで、貯湯量表示１５１の表示をキャンセルするとは、貯湯タンク３内の貯湯については、実際の残湯量の如何に拘わらず、給湯には使用できないことを視覚により認識させ得るための表示にする、との趣旨である。例えば、前記の貯湯量表示１５１の例では、図４（ｂ）に示すように、貯湯タンク３を示す矩形枠の図形のみを表示し、貯湯量に相当する矩形の塗り図形の表示をキャンセルして無表示にする。この結果、図５（ａ）に詳細を示すように内部が無表示で貯湯タンク３を示す矩形枠の図形のみが表示される貯湯量表示１５１となる。この際、貯湯量表示１５１の上側に、「リフレッシュ」という文字を表示して、加熱殺菌運転が現在実行されていることも併せて示すようにしている。この現在の運転の種別表示については、例えば図５（ｂ）に示すように、無表示とされた貯湯量表示１５１の内部（貯湯タンク３を示す矩形枠の図形の内部）に「リフレッシュ中」という文字を表示するようにしてもよい。
【００２３】
次に、加熱殺菌運転制御部１６２による加熱殺菌運転制御について説明する。加熱殺菌運転制御は、ユーザーの長期不在又は長期に亘り給湯装置の不使用状態の継続に起因して貯湯タンク３内や種々の湯水流路内等の湯水に菌繁殖の可能性が有り、殺菌対策を行う必要が有ると判定されたとき、開始される。長期不在や不使用状態の継続に起因して加熱殺菌運転が必要か否かは、例えば次の検出状況が所定時間継続することにより必要と判定することができる。すなわち、給湯運転や湯張り運転等のユーザー操作に基づく運転が行われたか否かをコントローラ１１の該当する制御要素（運転制御部）からの制御情報に基づき判定し、その運転（使用）が終了した時点でタイマーをスタートさせる。又、リモコン１１０に対するユーザーの操作が未操作である状態が継続しているか否か、給湯栓７の開栓に伴う最低作動流量（ＭＯＱ）の検出が非検出である状態が継続しているか否かをそれぞれ監視する。リモコン１１０の操作又はＭＯＱの検出のいずれかが有れば、タイマーを再スタートさせる一方、いずれもがない状態が継続しタイマーのカウントが所定時間（例えば１００時間）経過すれば、加熱殺菌運転が要と判定することができる。
【００２４】
加熱殺菌運転制御としては、２段階の加熱殺菌運転が実行される。第１段階の加熱殺菌運転は非燃焼式熱源装置２を熱源とする加熱殺菌運転により行われ、第２段階の加熱殺菌運転は燃焼式熱源装置６を熱源とする加熱殺菌運転が行われる。すなわち、第１段階の加熱殺菌運転として、図６に湯水の移動経路を太線で示すように、非燃焼式熱源装置２に通電してヒートポンプの作動を開始させる一方、加熱循環回路９の循環ポンプ９３を作動させる。これにより、貯湯タンク３の底部から取り出された湯水が導出路９１を通って非燃焼式熱源装置２に送られ、非燃焼式熱源装置２で熱交換加熱されて所定温度まで昇温した湯水が導入路９２を通って貯湯タンク３の頂部に戻されるという循環加熱が行われることになる。貯湯タンク３内の全体が所定温度（例えば６０℃）以上になるまで循環加熱が行われる。
【００２５】
第２段階の加熱殺菌運転は、図７に湯水の移動経路を太線で示すように、三方切換弁６１をバイパス循環回路１０の側と燃焼式熱源装置６の側とが連通するように切換え、タンク水比例弁６６を開にし、ポンプ６２を作動した上で燃焼式熱源装置６の燃焼作動を開始させる。これにより、貯湯タンク３の底部から湯水が下部配管部１２、バイパス循環回路１０及び三方切換弁６１を通って燃焼式熱源装置６に流れ、燃焼式熱源装置６の燃焼熱により熱交換加熱されて所定温度（例えば７５℃）以上に加熱された湯水がタンク水比例弁６６及び上部接続路５３を通って貯湯タンク３の頂部に戻されるという循環加熱が行われることになる。そして、貯湯タンク３内の全体が所定温度（例えば７５℃）以上になるまで循環加熱が行われる。通常、レジオネラ菌は６０℃で１０〜１５分以内、７０℃で５秒以内で死滅するといわれているため、まず第１段階の加熱殺菌として非燃焼式熱源装置２を用いて行い、さらに第２段階の加熱殺菌を燃焼式熱源装置６を用いて７５℃程度まで加熱することで、他の雑菌を含めレジオネラ菌は確実に死滅することになる。
【００２６】
前記の加熱殺菌運転制御の第１段階の加熱殺菌運転が実行中のときには給湯栓７がたとえユーザーにより開かれたとしても、貯湯タンク３内の湯水が直接に給湯栓７に出湯されないように、出湯回路５の下流端側の混水弁（図示省略）の湯側が閉切換制御されている。そして、給湯栓７が開栓された場合には、三方切換弁６１を補助加熱出湯路６０の側と燃焼式熱源装置６の側とが連通するように切換え、タンク水比例弁６６を開にしてポンプ６２を作動させた上で燃焼式熱源装置６を燃焼作動させることにより、貯湯タンク３内の湯水を使用しつつも燃焼式熱源装置６で加熱した湯水を給湯栓７への出湯に供するようにしている。
【００２７】
以上の場合、自動制御により加熱殺菌運転制御が開始されたとき、その開始に伴いリモコン１１０の表示部１１１に表示される貯湯量表示１５１は貯湯量表示制御部１７１の例外表示モードの実行によって内部が無表示のままに切換えられるため、これを見たユーザーは貯湯タンク３内の貯湯は給湯には使用できないことが視覚的に即座に認識することができる。このため、ユーザーが給湯栓７を開いて給湯使用しようとしたら、燃焼式熱源装置６の燃焼作動が開始されることが燃焼作動音等によって感知されたとしても、貯湯タンク３内の貯湯が使用できないからだと理解することができ、違和感を抱くことはなく故障等が発生したとの誤解を生じさせることもない。
【００２８】
図８は、リモコン１１０の選択・決定スイッチ１１３（図３参照）を操作して貯湯メニューを表示部１１１に表示させた場合の表示例を示している。具体的には、貯湯メニューを表示させた上で、選択・決定スイッチ１１３を操作することで「手動貯湯」を選択した画面が表示されている。この手動貯湯が前記の加熱殺菌運転の実行中にユーザーにより選択された場合には、「受付できません」というように手動貯湯の入力設定は受付られず対応不可であることを示す文字案内が、対応不可時表示制御部１７２（図２参照）による表示制御によって表示されるようになっている。手動貯湯とは、本来は貯湯タンク３への貯湯（蓄熱）は沸き上げ運転制御部１６１により自動で実行されるようになっているが、ユーザーの意思により手動で貯湯要求指令を入力することで自動制御とは別に沸き上げ運転を開始させ得るものである。ところが、加熱殺菌運転の実行中の他に、沸き上げ運転の開始が不適切又は不能な状態にあるときには、制御上の干渉が生じたり、あるいは、ユーザーによる手動貯湯の要求指令が制御上無視されたりしてしまうことになる。このため、前記の対応不可の表示を積極的に表示することで、ユーザーに対しより的確に状況把握のための案内をすることができるようになる。なお、対応不可の案内は、表示部１１１への表示に加えて、あるいは、表示部１１１への表示に代えて、音声案内により行うようにすることができる。例えば、リモコン１１１のスピーカフォン１１４（図３参照）を用いて音声案内を行うようにすることができる。この場合、リモコン１１０が報知手段を構成することになる。
【００２９】
又、例えば停電やガス遮断事故等が発生した際に、リモコン１１０の選択・決定スイッチ１１３を操作して、ユーザーにより応急運転に切換られたときには、応急運転制御部１６５（図２参照）による応急運転制御が実行されることになる。この応急運転制御は、例えば停電発生のときにはガスのみで沸き上げ運転制御を行い、つまり電力で作動する非燃焼式熱源装置２を用いないでガスで燃焼作動される燃焼式熱源装置６の燃焼作動により沸き上げ運転制御を行って貯湯タンク３を満蓄状態に維持させるようにし、逆にガス遮断が発生したときには電気のみで沸き上げ運転制御を行い、つまりガスで燃焼作動される燃焼式熱源装置６を用いないで電力で作動する非燃焼式熱源装置２の作動により沸き上げ運転制御を行って貯湯タンク３を満蓄状態に維持させるようにするものである。この場合には、応急運転時表示制御部１７３によって、表示部１１１に対し、図９に例示するような応急運転時の表示が行われるようになっている。すなわち、沸き上げ運転をガスのみで実行させる応急運転がユーザーにより選択設定されたときには、図９（ａ）に示すように上欄領域に「［応急運転］ガスのみで給湯します」という文字案内表示１５４を表示する。この際、バー表示１５３は全量がガス使用であることを示すように全領域が白色表示となる。一方、沸き上げ運転を電気（電力）のみで実行させる応急運転がユーザーにより選択設定されたときには、図９（ｂ）に示すように上欄領域に「［応急運転］電気のみで給湯します」という文字案内表示１５４を表示する。この際、バー表示１５３は全量が電気使用であることを示すように全領域が着色表示となる。
【００３０】
＜他の実施形態＞
なお、本発明は前記実施形態に限定されるものではなく、その他種々の実施形態を包含するものである。すなわち、前記実施形態では非燃焼式熱源装置２がヒートポンプ作動系により構成された例を示したが，加熱殺菌運転の実行中は貯湯量表示を無表示にする（キャンセルする）という技術については、非燃焼式熱源装置を燃料電池、ガスエンジン（エンジン冷却水排熱）、あるいは、太陽熱を集熱するソーラーパネル等のいずれか１種又は複数種のものを組み合わせて構成した給湯装置に、本発明を適用することができる。又、非燃焼式熱源装置として、ヒートポンプに代えて電気ヒータ又は電熱器を用いて構成した給湯装置に対し本発明を適用することもできる。
【００３１】
又、前記実施形態では表示制御手段１７がコントローラ１１に内装された例を示したが、表示制御手段１７の一部又は全てをリモコン１１０の側に設けるようにしてもよい。さらに、貯湯量表示部として、リモコン１１０の表示部１１１を利用しているが、これに限らず、他の装置の表示部又は独立したモニターを用いて構成することができる。
【符号の説明】
【００３２】
２      非燃焼式熱源装置
３      貯湯タンク
６      燃焼式熱源装置
１６    運転制御手段
１７    表示制御手段
１１１  表示部（貯湯量表示部）
【図１】
2015059713.tif 000003
【図２】
2015059713.tif 000004
【図３】
2015059713.tif 000005
【図４】
2015059713.tif 000006
【図５】
2015059713.tif 000007
【図６】
2015059713.tif 000008
【図７】
2015059713.tif 000009
【図８】
2015059713.tif 000010
【図９】
2015059713.tif 000011